(57)【要約】【課題】静止型ラインヘッドにより印字される用紙のジャムの解除やメンテナンス性の優れた印字装置を提供することである。【解決手段】挿入口から挿入された第１の印字媒体を所定の印字位置を介して下流方向に搬送するとともに、前記第１の印字媒体を前記下流方向とは逆向きに搬送して前記挿入口から排出させるための第１搬送路と、前記印字位置に送られてきた前記第１の印字媒体へ印字を行う第１の印字部と、印字方式が前記第１の印字部と異なる第２の印字部と、前記第２の印字部で印字された第２の印字媒体を、前記第１搬送路により前記挿入口から排出させるために、前記第１搬送路に合流させる第２搬送路と、が同一の筐体内に納められた印字装置にあって、前記第２の印字部は、前記第１の印字媒体と直交する方向に回動自在に支持し、前記第２搬送路を構成する一部を開放可能に支持した。【選択図】図１
2015091643.tif 000002
【特許請求の範囲】
【請求項１】
挿入口から挿入された第１の印字媒体を所定の印字位置を介して下流方向に搬送するとともに、前記第１の印字媒体を前記下流方向とは逆向きに搬送して前記挿入口から排出させるための第１搬送路と、
前記印字位置に送られてきた前記第１の印字媒体へ印字を行う第１の印字部と、
印字方式が前記第１の印字部と異なる第２の印字部と、
前記第２の印字部で印字された第２の印字媒体を、前記第１搬送路により前記挿入口から排出させるために、前記第１搬送路に合流させる第２搬送路と、
が同一の筐体内に納められた印字装置にあって、
前記第２の印字部は、前記第１の印字媒体面と直交する方向に回動自在に支持し、前記第２搬送路を構成する一部を開放可能に支持した、印字装置。
【請求項２】
前記第２搬送路は、前記第２の印字部に取着され、該第２の印字部の回動に伴い回動する、請求項１記載の印字装置。
【請求項３】
前記第１の印字部はドット印字部とし、前記第２の印字部はサーマル印字部とした、請求項１に記載の印字装置。
【請求項４】
前記第２搬送路を構成する一部は、前記第２の印字部に取着し、該第２の印字部の回動に伴って回動させ、前記第２搬送路を開放するようにした、請求項１記載の印字装置。
【請求項５】
前記第２の印字媒体を搬送させる部材の少なくとも一部をユニット化して搬送ブロックとし、該搬送ブロックを取り外し可能とした、請求項１に記載の印字装置。
【発明の詳細な説明】
【技術分野】
【０００１】
この発明の実施形態は、静止型ラインヘッドにより印字される印字部を有する印字装置に関する。
【背景技術】
【０００２】
従来、静止型ラインヘッドを用いたサーマル印字部およびドットヘッドを用いたドット印字部が同一筐体に搭載された印字装置が知られている。
【０００３】
しかしながら、サーマル印字部は、筐体内で固定されている。このため、印字される用紙がジャムとなった場合の解除や、印字部が故障した場合等に、該当箇所に至るまでのアクセスに手間がかかり、ジャム解除やメンテナンス性向上の要望があった。
【先行技術文献】
【特許文献】
【０００４】
【特許文献１】特開２０１０−２１４６１７号公報
【発明の概要】
【発明が解決しようとする課題】
【０００５】
この発明が解決しようとする課題は、静止型ラインヘッドにより印字される用紙のジャムの解除やメンテナンス性の優れた印字装置を提供することである。
【課題を解決するための手段】
【０００６】
実施形態の印字装置は、挿入口から挿入された第１の印字媒体を所定の印字位置を介して下流方向に搬送するとともに、前記第１の印字媒体を前記下流方向とは逆向きに搬送して前記挿入口から排出させるための第１搬送路と、前記印字位置に送られてきた前記第１の印字媒体へ印字を行う第１の印字部と、印字方式が前記第１の印字部と異なる第２の印字部と、前記第２の印字部で印字された第２の印字媒体を、前記第１搬送路により前記挿入口から排出させるために、前記第１搬送路に合流させる第２搬送路と、が同一の筐体内に納められた印字装置にあって、前記第２の印字部は、前記第１の印字媒体面と直交する方向に回動自在に支持し、前記第２搬送路を構成する一部を開放可能に支持した。
【図面の簡単な説明】
【０００７】
【図１】印字装置にかかる第１の実施形態の内部構成を示す図である。
【図２】図１の保守時の状態を示す図である。
【図３】サーマル印字部の重心と支軸の関係について説明するための図である。
【図４】印字装置にかかる第２の実施形態の内部構成を示す図である。
【図５】第１の実施形態の変形例について説明するための一部切欠構成図である。
【図６】第２の実施形態の変形例について説明するための一部切欠構成図である。
【図７Ａ】第３の実施形態について説明するための一部切欠構成図である。
【図７Ｂ】第３の実施形態について説明するための一部切欠構成図である。
【図７Ｃ】第３の実施形態の変形例について説明するための一部切欠構成図である。
【発明を実施するための形態】
【０００８】
以下、実施形態について、図面を参照しながら詳細に説明する。
【０００９】
（第１の実施形態）
図１は、印字装置にかかる第１の実施形態の内部構成を示す図である。この実施形態は、印字装置として印字方式の異なるドット印字部１１とサーマル印字部１２を備えたプリンタ１００を例に挙げている。
【００１０】
図１において、プリンタ１００の筐体１０内の図示左端部には、第１の印字媒体として例えば通帳１３の挿入口１４が設けられている。また、プリンタ１００の図示中央部左寄りの位置には、挿入された通帳１３に対して印字を行う第１の印字部として、例えばドット印字部１１が設けられている。ドット印字部１１は、印字方向に沿って移動するシリアル印字を行うシリアルヘッドを有する。なお、ドット印字部１１による印字が終了した通帳１３は、プリンタ１００内において後述するようにバックフィードされ、挿入口１４から排出される。
【００１１】
プリンタ１００の図示右寄りの位置には、例えば計算書などの帳票用紙１６（第２の印字媒体）を印字する第２の印字部として例えばサーマル印字部１２が設置されている。サーマル印字部１２は、ライン印字するための静止型のラインヘッドを有する。サーマル印字部１２は、プリンタ１００の用紙供給部１７から供給される例えば帳票用紙１６に対して所定の印字を行い、計算書などの帳票を作成する。
【００１２】
用紙供給部１７には、ロール状に巻回された帳票用紙１６を収容している。サーマル印字部１２は、用紙供給部１７からの帳票用紙１６を図示右側から取り入れ、所定の印字を施して図示左側へ搬送する。印字された帳票用紙１６は、図示しないカッターにて切断し、その後プリンタ１００内の後述する搬送路を経て、図示左端の挿入口１４から排出する。
【００１３】
プリンタ１００内には、挿入口１４から図示右方に向って、第１搬送路１８が直線状に構成されている。ドット印字部１１は、この第１搬送路１８の途中部分に設けられている。この第１搬送路１８は、挿入口１４から挿入された通帳１３を、ドット印字部１１による所定の印字位置へ向けて搬送する。また、ドット印字部１１による印字後は、通帳１３を前記下流方向とは逆向きに搬送（バックフィード）して挿入口１４から排出する。
【００１４】
第１搬送路１８は、具体的には、上下一対の駆動ローラ１９およびピンチローラ２０を、搬送方向に沿って複数対配置したものである。また、この第１搬送路１８の、挿入ロ１４の近くの位置には、シャッター２１が開閉可能に設けられている。シャッター２１は、通常時は通帳１３がプリンタ１００の内部まで進入できないように閉じられている。シャッター２１の手前には、図示しないが、挿入口１４から差し込まれた通帳１３の用紙幅を検知する用紙幅検知センサー、および通帳１３が挿入されたことを検知する用紙挿入センサーが設けられている。
【００１５】
また、第１搬送路１８の、シャッター２１の上流および下流側に配置された上下一対の駆動ローラ１９およびピンチローラ２０は、最小用紙長の通帳１３を２組の対によってピンチできる間隔で配置されている。第１搬送路１８の、シャッター２１より下流側の部分は、ドット印字部１１に対して通帳１３を整列させるアライメント領域となっている。
【００１６】
アライメント領域には、通帳１３の用紙長を検知するセンサーや、通帳１３を第１搬送路１８の図示しない一側部に形成されたアライメント部に向けて搬送方向と直交する方向に移動させる、図示しない駆動ローラとピンチローラが設けられている。この駆動ローラとピンチローラを以下では、単にアライメントローラとして説明する。
【００１７】
ここで、ドット印字部１１は、第１搬送路１８の上下に配置されたドットヘッド１１ａとプラテン１１ｂとから構成されている。プラテン１１ｂは、第１搬送路１８上で、その搬送方向を横断する、通帳１３面と直交する方向に設置されている。ドットヘッド１１ａは、このプラテン１１ｂの上方に、その長さ方向に沿って、すなわち、第１搬送路１８の搬送方向を横断する方向に往復移動する。そして、ドットヘッド１１ａは、プラテン１１ｂ上に位置する通帳１３の印字ページに対して印字を行う。
【００１８】
ドットヘッド１１ａによる印刷幅は、印字対象の通帳１３の最大幅に設定されている。印字開始地点は、通帳１３の大きさにより異なるが、一定地点に合わせる必要がある。アライメント領域では、通帳１３をアライメントローラにより、搬送方向と直交する方向に移動させ、通帳１３の側辺部を、搬送方向の一側部に形成されたアライメント部に当接させ、整列を行う。通帳１３の側辺部は、ドットヘッド１１ａによる印字ページへの印字開始地点との位置合わせを行っている。
【００１９】
なお、図示しないが、プリンタ１００の挿入口１４から見て、ドット印字部１１の下流側には、通帳１３のページを捲るページ捲り機構が設置されている。このページ捲り機構は、ドット印字部１１による印字が印字ページの最終行を越える場合、通帳１３のページを捲って次ページへの印字を行わせるものである。
【００２０】
第２の印字部として用いられるサーマル印字部１２は、挿入口１４から見て下流側に配置されている。サーマル印字部１２は、用紙供給部１７からの帳票用紙１６を取り入れ、所定の印字を施して図示左側へ搬送する。
【００２１】
サーマル印字部１２で印字された帳票用紙１６は、第２搬送路２５により、合流部２６まで搬送する。第２搬送路２５には、上下一対の駆動ローラ１９およびピンチローラ２０を有し、サーマル印字部１２により印字された用紙は、図示しないカッターで切断される。合流部２６に搬送された帳票用紙１６は、合流部２６において第１搬送路１８に合流させ、挿入口１４から排出する。
【００２２】
合流部２６には、フラッパー４１が切り換え可能に設けられている。フラッパー４１は、支軸４２を中点として回動可能に支持されている。フラッパー４１を反時計回りに回動した状態では、サーマル印字部１２で印字された用紙を第２搬送路２５から第１搬送路１８上へ導く合流路が形成される。
【００２３】
これに対し、フラッパー４１を時計回りに回動した状態では、第１搬送路１８と回収箱２７とを結ぶ回収路２８が形成される。
【００２４】
この回収路２８は、挿入口１４に取り忘れられた通帳１３や帳票用紙１６を回収するためのものである。第１搬送路１８から回収路２８に搬送されてきた通帳１３または帳票用紙１６は、回収箱２７に案内する。すなわち、フラッパー４１は、第１搬送路１８と第２搬送路２５との合流部２６に設けられ、上述した合流路２６または回収路２８を形成すべく切り換え操作を行う。
【００２５】
図２に示すように、サーマル印字部１２および用紙供給部１７の上部を覆う筐体１０には、筐体１０の一部として開閉蓋１０１が形成されている。開閉蓋１０１は、挿入口１４の反対側の背側面に取着されたヒンジ１０２で開閉自在に支持されている。開閉蓋１０１は、印字時には閉じられ、保守時には開かれる。従って、開閉蓋１０１が開かれたときには、帳票用紙１６のジャム解除や帳票用紙１６の補充を行うことができる。
【００２６】
サーマル印字部１２は、印字の位置と保守時の位置間を、支軸２９を中心に帳票用紙１６の直交方向に回動自在に支持されている。図３に示すように、回動中心の支軸２９は、サーマル印字部１２の長手方向に直交する方向の重心Ｃの近傍に配置する。なお、図３（ａ）は、サーマル印字部１２が印字可能な状態の位置を示す。図３（ｂ）は、サーマル印字部１２を支軸２９中心に時計方向に、終端まで回動させ、保守可能な状態の位置を示す。
【００２７】
これにより、支軸２９は回動中心の近傍に配置していることから、サーマル印字部１２を回動する時の負荷を小さくすることができる。また、回動軌跡の終端におけるサーマル印字部１２は、サーマル印字部１２の図示しないカッター、駆動モータ、駆動回路が搭載されプリント回路基板等の交換や点検場所へのアクセスが容易なものとなる。
【００２８】
また、第２搬送路２５を構成するペーパーガイド２５１，２５２のうち、上側のペーパーガイド２５１は、下方側を支点にし、回動可能に支持されている。第２搬送路２５の一部を構成する駆動ローラ１９は、ペーパーガイド２５１に回転自在に支持されている。
【００２９】
さらに、図２に示すように、ペーパーガイド２５１が反時計方向に回動（開放）することに伴い、駆動ローラ１９も移動する。これにより、帳票用紙１６のジャムが発生しやすい合流部２９の近傍が開放され、ジャム解除作業が容易となる。
【００３０】
なお、支軸２９は、重心Ｃあるいは近傍でも構わない。この場合は、保守のために終端まで回動されたサーマル印字部１２は、時計あるいは反時計方向の回動が容易であることから、ロック機構を設けてその位置を保持した方が望ましい。
【００３１】
また、支軸２９は、図３に示すように重心Ｃよりも下方に配置してもよい。この場合は、図３（ｂ）に示すように、重心Ｃが破線の右側に来た時点でサーマル印字部１２は、時計方向の作用が働くことから、保持機構を省くことができる。
【００３２】
この実施形態では、サーマル印字部１２を回動可能とするとともに、第２搬送路２５の一部を開放可能とした。これにより、帳票用紙１６のジャムに対するアクセス性や、サーマル印字部１２の部品交換のアクセス性の向上を図ることができる。
【００３３】
（第２の実施形態）
図４は、印字装置にかかる第２の実施形態の内部構成を示す図である。この実施形態は、サーマル印字部１２の回動とともに、第２搬送路２５を回動させるようにしたものである。なお、第１の実施形態と同一の構成部分には、同一の符号を付し、ここでは異なる部分について説明する。以下の実施形態でも同様とする。
【００３４】
すなわち、第２搬送路２５は、サーマル印字部１２に取着されている。サーマル印字部１２は支軸２９を中心にして、図示の時計方向に回転する。このとき、第２搬送路２５は、サーマル印字部１２に取着されていることから、図４に示すようにサーマル印字部１２とともに回動する。
【００３５】
サーマル印字部１２と第２搬送路２５が一体的に回動することから、印字時に第２搬送路２５が配置される場所には、空間３０が形成される。この空間３０は、サーマル印字部１２の部品交換のアクセス性の向上を図ることができる。また、空間３０は、帳票用紙１６のジャムに対するアクセス性の向上を図ることができる。
【００３６】
図５は、第１の実施形態の変形例を示す。図６は、第２の実施形態の変形例を示す。
【００３７】
図５および第６の変形例は、いずれも第２搬送路２５上部にある筐体１０の一部が、開閉扉１０３で形成されている。開閉扉１０３は、ヒンジ１０４により破線で示す閉じた位置から、実線で示す開いた位置との開閉が可能となる。開閉扉１０３のヒンジ１０４は、開閉蓋１０１のヒンジ１０２と反対側に取着されている。これにより開閉扉１０３と開閉蓋１０１は、両開きの状態となる。
【００３８】
そして、帳票用紙１６を交換する作業では、例えば開閉蓋１０１を開いて交換する。また、帳票用紙１６のジャムやサーマル印字部１２の点検の場合は、開閉蓋１０１と開閉扉１０３を開いて作業を行う。開閉蓋１０１と開閉扉１０３を開いた場合は、サーマル印字部１２を回動させる作業が容易となる。さらにサーマル印字部１２を回動させることにより発生する空間３０は、開閉蓋１０１、開閉扉１０３の開放により、より開放的となりアクセス性の向上を図ることができる。
【００３９】
各変形例では、サーマル印字部１２の故障対応や帳票用紙１６の交換、それに帳票用紙１６ジャムの解除等の必要性に応じて開閉蓋１０１と開閉扉１０３を選択的に開閉することで、作業効率化を図ることができる。
【００４０】
（第３の実施形態）
図７Ａ、図７Ｂは、印字装置にかかる第３の実施形態の内部構成を示す図である。
【００４１】
この実施形態は、第２搬送路２５等の一部をユニット化し、サーマル印字部１２の回動させた状態で、プリンタ１００から着脱可能に構成したものである。
【００４２】
すなわち、第２搬送路２５の上側のペーパーガイド２５１とピンチローラ２０は、搬送ブロック７１としてユニット化されている。下側のペーパーガイド２５２側に駆動ローラ１９が保持されている。駆動ローラ１９は、帳票用紙１６を搬送可能にペーパーガイド２５２から搬送路を臨むように取着されている。なお、ピンチローラ２０と駆動ローラ１９は、上記実施形態とは逆の位置で構成されている。
【００４３】
駆動ローラ１９の駆動軸は、搬送される帳票用紙１６の両側の位置に設置されたフレームの支持孔に回転自在に支持され、駆動源の駆動により回転する。図示しないが駆動ローラ１９の両端には、ギアに取着されている。
【００４４】
搬送ブロック７１には、上側のペーパーガイド２５１を取着するとともに、ピンチローラ２０が回転自在に取着されている。ピンチローラ２０は、帳票用紙１６を搬送可能にペーパーガイド２５１から搬送路を臨むように取着されている。図示しないが、ピンチローラ２０の両端には、駆動ローラ１９のギアと噛合可能なギアが取着されている。
【００４５】
搬送ブロック７１は、ピンチローラ２０のギアと駆動ローラ１９のギアが噛み合った状態で、ペーパーガイド２５１と２５２が対向するように、フレームに図示しない着脱機構を介して取着される。
【００４６】
搬送ブロック７１を、図７Ａは取り付けた状態を示し、図７Ｂは取り出された状態を示す。ここで、搬送ブロック７１の着脱について説明する。
【００４７】
ユーザーはまず、図７Ａ状態の開閉蓋１０１を開け、次いで支軸２９を中心にしてサーマル印字部１２を図３（ｂ）の状態に回動する。これにより、開閉蓋１０１とサーマル印字部１２は、図７Ｂの状態となる。
【００４８】
開閉蓋１０１の解放とサーマル印字部１２の回動により空間３０が得られる。搬送ブロック７１は、フレームとの接合部分を外す。搬送ブロック７１は、噛み合ったピンチローラ２０のギアと駆動ローラ１９のギアを解くことで、図７Ｂに示すように取り出すことができる。
【００４９】
これにより、第２搬送路２５は、解放状態となる。空間３０は、搬送ブロック７１が取り外された分だけより広がることになる。第２搬送路２５の解放と空間３０の広がりは、サーマル印字部１２の部品交換のアクセス性や帳票用紙１６のジャムに対するアクセス性の向上を図ることができる。
【００５０】
なお、この実施形態においても、図５に示すように帳票用紙１６を交換する作業用の開閉蓋１０１とは別に、第２搬送路２５上部の筐体１０一部を開放する開閉扉１０３を設けてもよい。この場合、着脱可能な搬送ブロック７１の着脱作業性の向上を図ることができる。
【００５１】
この実施形態では、第２搬送路を構成する一部をユニット化した搬送ブロックを着脱可能としたが、図７Ｃに示すように第２搬送路全体をユニット化した搬送ブロックとして着脱可能にしても良い。上記いずれかの構成においても、搬送ブロックを取り外した場合は、サーマル印字部やカッターの交換等のメンテナンス性が向上する。同時にサーマル印字部における用紙のジヤムの解除も容易となる。
【００５２】
上記した各実施形態に限定されるものではない。例えば、第１の実施形態では、第２搬送路２５の上側のペーパーガイド２５１の下方側を支点に回動するようにした。ペーパーガイド２５１は、サーマル印字部１２に取着し、サーマル印字部１２の回動に伴って回動するようにしてもよい。
【００５３】
また、印字方式の異なるシリアル印字方式とライン印字方式を備えた例を挙げたが、ライン印字方式のみの印字装置であっても構わない。また、印字装置のみでなく、他の機能との複合装置であっても構わない。
【００５４】
いくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、組み合わせ、変更を行うことができる。これら実施形態やその変形は、発明の範囲や要旨に含まれるとともに、特許請求の範囲に記載された発明とその均等の範囲に含まれる。
【符号の説明】
【００５５】
１００  プリンタ
１０  筐体
１１  ドット印字部
１２  サーマル印字部
１３  通帳
１４  挿入口
１６  帳票用紙
１７  用紙供給部
１８  第１搬送路
１９  駆動ローラ
２０  ピンチローラ
２５  第２搬送路
２６  合流部
２７  回収箱
２８  回収路
２９，４２  支軸
４１  フラッパー
７１  搬送ブロック
１０１  開閉蓋
１０２，１０４  ヒンジ
１０３  開閉扉
【図１】
2015091643.tif 000003
【図２】
2015091643.tif 000004
【図３】
2015091643.tif 000005
【図４】
2015091643.tif 000006
【図５】
2015091643.tif 000007
【図６】
2015091643.tif 000008
【図７Ａ】
2015091643.tif 000009
【図７Ｂ】
2015091643.tif 000010
【図７Ｃ】
2015091643.tif 000011